(57)【要約】  本明細書で説明される実施形態は、ユーザ機器（ＵＥ）と基地局分散型ユニット（ＤＵ）との間の無線リンク制御再確立をパケットデータコンバージェンスプロトコル（ＰＤＣＰ）データ回復と同期させるための方法および装置を提供する。制御プレーンデータ処理装置によって実施される方法は、アップリンクおよび／またはダウンリンク停止が基地局ＤＵとＵＥとの間で発生したという指示を取得することと、ＵＥによって確認応答されなかった、ＵＥに前に送信されたデータプロトコルユニットを再送信するように、ユーザプレーン（ＵＰ）データ処理装置に命令する要求をＵＰデータ処理装置に送信することとを含む。【選択図】図３
2021528928.tif 000002
【特許請求の範囲】
【請求項１】
ユーザ機器（ＵＥ）と基地局分散型ユニット（ＤＵ）との間の無線リンク制御再確立をパケットデータコンバージェンスプロトコル（ＰＤＣＰ）データ回復と同期させるための、制御プレーン（ＣＰ）データ処理装置によって実施される方法であって、前記方法は、
ａ．  アップリンクおよび／またはダウンリンク停止が前記基地局ＤＵと前記ＵＥとの間で発生したという指示を取得することと、
ｂ．  前記ＵＥによって確認応答されなかった、前記ＵＥに前に送信されたデータプロトコルユニットを再送信するように、ユーザプレーン（ＵＰ）データ処理装置に命令する要求を前記ＵＰデータ処理装置に送信することと
を含む、方法。
【請求項２】
前記取得するステップが、
ａ．  前記基地局ＤＵから前記指示を受信すること
を含む、請求項１に記載の方法。
【請求項３】
前記ＣＰデータ処理装置が前記基地局ＤＵとコロケートされる、請求項１に記載の方法。
【請求項４】
前記指示がＵＥコンテキスト修正必要メッセージを含む、請求項１から３のいずれか一項に記載の方法。
【請求項５】
前記指示を取得したことに応答して、無線リソース制御（ＲＲＣ）再設定メッセージを生成することと、前記ＵＥに前記ＲＲＣ再設定メッセージを送信することとをさらに含む、請求項１から４のいずれか一項に記載の方法。
【請求項６】
前記要求は、ＰＤＣＰデータ回復が要求されることを指示するＰＤＣＰデータ回復情報エレメント（ＩＥ）を備える、ベアラコンテキスト修正要求を含む、請求項１から５のいずれか一項に記載の方法。
【請求項７】
ユーザ機器（ＵＥ）と基地局分散型ユニット（ＤＵ）との間の無線リンク制御（ＲＬＣ）再確立をパケットデータコンバージェンスプロトコル（ＰＤＣＰ）データ回復と同期させるための、ユーザプレーン（ＵＰ）データ処理装置によって実施される方法であって、前記方法は、
ａ．  制御プレーン（ＣＰ）データ処理装置から、前記ＵＥによって確認応答されなかった、前記ＵＥに前に送信されたデータプロトコルユニットを再送信するための要求を受信することと、
ｂ．  前記要求を受信したことに応答して、前記ＵＥによって確認応答されなかった、前記ＵＥに前に送信されたデータプロトコルユニットを前記ＵＥに再送信することと
を含む、方法。
【請求項８】
前記ＣＰデータ処理装置が前記基地局ＤＵとコロケートされる、請求項７に記載の方法。
【請求項９】
前記要求は、ＰＤＣＰデータ回復が要求されることを指示するＰＤＣＰデータ回復情報エレメント（ＩＥ）を備える、ベアラコンテキスト修正要求を含む、請求項７または８に記載の方法。
【請求項１０】
ユーザ機器（ＵＥ）と基地局分散型ユニット（ＤＵ）との間の無線リンク制御再確立をパケットデータコンバージェンスプロトコル（ＰＤＣＰ）データ回復と同期させるための制御プレーン（ＣＰ）データ処理装置であって、前記ＣＰデータ処理装置は、
ａ．  アップリンクおよび／またはダウンリンク停止が前記基地局ＤＵと前記ＵＥとの間で発生したという指示を取得することと、
ｂ．  前記ＵＥによって確認応答されなかった、前記ＵＥに前に送信されたデータプロトコルユニットを再送信するように、ユーザプレーン（ＵＰ）データ処理装置に命令する要求を前記ＵＰデータ処理装置に送信することと
を行うように設定された処理回路を備える、制御プレーン（ＣＰ）データ処理装置。
【請求項１１】
前記処理回路が、
ａ．  前記基地局ＤＵから前記指示を受信すること
によって前記取得するステップを実施するように設定された、請求項１０に記載のＣＰデータ処理装置。
【請求項１２】
前記ＣＰデータ処理装置が前記基地局ＤＵとコロケートされる、請求項１０に記載のＣＰデータ処理装置。
【請求項１３】
前記指示がＵＥコンテキスト修正必要メッセージを含む、請求項１０から１２のいずれか一項に記載のＣＰデータ処理装置。
【請求項１４】
前記処理回路が、前記指示を取得したことに応答して、無線リソース制御（ＲＲＣ）再設定メッセージを生成することと、前記ＵＥに前記ＲＲＣ再設定メッセージを送信することとを行うようにさらに設定された、請求項１０から１３のいずれか一項に記載のＣＰデータ処理装置。
【請求項１５】
前記要求は、ＰＤＣＰデータ回復が要求されることを指示するＰＤＣＰデータ回復情報エレメント（ＩＥ）を備える、ベアラコンテキスト修正要求を含む、請求項１０から１４のいずれか一項に記載のＣＰデータ処理装置。
【請求項１６】
ユーザ機器（ＵＥ）と基地局分散型ユニット（ＤＵ）との間の無線リンク制御（ＲＬＣ）再確立をパケットデータコンバージェンスプロトコル（ＰＤＣＰ）データ回復と同期させるためのユーザプレーン（ＵＰ）データ処理装置であって、前記ＵＰデータ処理装置は、
ａ．  制御プレーン（ＣＰ）データ処理装置から、前記ＵＥによって確認応答されなかった、前記ＵＥに前に送信されたデータプロトコルユニットを再送信するための要求を受信することと、
ｂ．  前記要求を受信したことに応答して、前記ＵＥによって確認応答されなかった、前記ＵＥに前に送信されたデータプロトコルユニットを前記ＵＥに再送信することと
を行うように設定された処理回路を備える、ユーザプレーン（ＵＰ）データ処理装置。
【請求項１７】
前記ＣＰデータ処理装置が前記基地局ＤＵとコロケートされる、請求項１６に記載のＵＰデータ処理装置。
【請求項１８】
前記要求は、ＰＤＣＰデータ回復が要求されることを指示するＰＤＣＰデータ回復情報エレメント（ＩＥ）を備える、ベアラコンテキスト修正要求を含む、請求項１６または１７に記載のＵＰデータ処理装置。
【発明の詳細な説明】
【技術分野】
【０００１】
本明細書で説明される実施形態は、ユーザ機器（ＵＥ）と基地局分散型ユニット（ＤＵ）との間の無線リンク制御再確立をパケットデータコンバージェンスプロトコル（ＰＤＣＰ）データ回復と同期させるための方法および装置に関する。
【背景技術】
【０００２】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。
【０００３】
図１は、現在の５Ｇ無線アクセスネットワーク（ＮＧ−ＲＡＮ）アーキテクチャを示す。
【０００４】
ＮＧアーキテクチャは、以下のようにさらに説明され得る。ＮＧ−ＲＡＮは、新世代インターフェースを通して５Ｇコアネットワーク（５ＧＣ）に接続された、ｇＮＢまたは基地局のセットを備え得る。ｇＮＢは、周波数分割複信（ＦＤＤ）モード、時分割複信（ＴＤＤ）モードおよび／またはデュアルモード動作をサポートすることが可能であり得る。基地局（ｇＮＢ）は、Ｘｎインターフェースを通して相互接続され得る。各基地局は、基地局中央ユニット（ｇＮＢ−ＣＵ）と少なくとも１つの基地局分散型ユニット（ｇＮＢ−ＤＵ）とを備え得る。
【０００５】
基地局中央ユニットおよび（１つまたは複数の）基地局分散型ユニットは、Ｆ１論理インターフェースを介して接続され得る。いくつかの例では、各基地局分散型ユニット、たとえばｇＮＢ−ＤＵは、１つの基地局中央ユニット、たとえばｇＮＢ−ＣＵのみに接続される。
【０００６】
ＮＧ、ＸｎおよびＦ１は、論理インターフェースの例を含む。ＮＧ−ＲＡＮの場合、中央ユニット（ｇＮＢ−ＣＵ）と分散型ユニット（ｇＮＢ−ＤＵ）とを備える基地局（ｇＮＢ）のためのＮＧおよびＸｎ−Ｃインターフェースは、中央ユニット（ｇＮＢ−ＣＵ）において終端する。Ｌｏｎｇ  Ｔｅｒｍ  Ｅｖｏｌｕｔｉｏｎ（ＬＴＥ）と５Ｇ新無線（ｎｅｗ  Ｒａｄｉｏ）の両方へのデュアルコネクティビティの場合、中央ユニット（ｇＮＢ−ＣＵ）と分散型ユニット（ｇＮＢ−ＤＵ）とを備える基地局（ｇＮＢ）のためのＳ１−ＵおよびＸ２−Ｃインターフェースは、ｇＮＢ−ＣＵにおいて終端する。いくつかの例では、中央ユニットと、接続された分散型ユニットとの間の区別は、他のｇＮＢに認識可能でない。これらのユニットは、代わりに、単一のエンティティ、たとえばｇＮＢとして見られる。
【０００７】
ＮＧ−ＲＡＮは、無線ネットワークレイヤ（ＲＮＬ）およびトランスポートネットワークレイヤ（ＴＮＬ）にレイヤ化され得る。ＮＧ−ＲＡＮアーキテクチャ、すなわち、ＮＧ−ＲＡＮ論理ノードと、ＮＧ−ＲＡＮ論理ノード間のインターフェースとは、ＲＮＬの一部として規定され得る。各ＮＧ−ＲＡＮインターフェース（ＮＧ、Ｘｎ、Ｆ１）では、関係するＴＮＬプロトコルと機能とが指定され得る。ＴＮＬは、ユーザプレーントランスポートとシグナリングトランスポートとのためのサービスを提供する。ＮＧ−Ｆｌｅｘ設定では、各基地局が、ＡＭＦ領域内のすべてのアクセスおよびモビリティ機能ノード（ＡＭＦ）に接続され得る。ＡＭＦ領域は、３ＧＰＰ  ＴＳ２３．５０１において指定されているように規定され得る。
【０００８】
Ｆ１インターフェースの仕様のためのいくつかの一般的な原理が、以下のように規定され得る。
−  Ｆ１インターフェースはオープンであり得る、
−  Ｆ１インターフェースは、インターフェースのエンドポイント間のシグナリング情報の交換をサポートし得る。さらに、Ｆ１インターフェースは、それぞれのエンドポイントへのデータ送信をサポートし得る、
−  論理的な観点から、Ｆ１インターフェースは、エンドポイント間のポイントツーポイントインターフェースと見なされ得る（ポイントツーポイント論理インターフェースは、エンドポイント間の物理的直接接続の不在下でさえ実現可能であり得る）、
−  Ｆ１インターフェースは、制御プレーンおよびユーザプレーン分離をサポートし得る、
−  Ｆ１インターフェースは、無線ネットワークレイヤとトランスポートネットワークレイヤとを分離し得る、
−  Ｆ１インターフェースは、ユーザ機器（ＵＥ）関連の情報およびＵＥ関連でない情報の交換を可能にし得る、
−  Ｆ１インターフェースは、異なる新しい要件を満たし、新しいサービスと新しい機能とをサポートするために、将来性を保証するように規定され得る、
−  １つのｇＮＢ−ＣＵとｇＮＢ−ＤＵのセットとは、単一のノード、たとえばｇＮＢとして、ネットワークにおける他の論理ノードに認識可能であり得る。ｇＮＢは、Ｘ２、Ｘｎ、ＮＧおよびＳ１−Ｕインターフェースを終端する、ならびに
−  中央ユニットは、制御プレーン（ＣＰ）中央ユニット（ＣＵ−ＣＰ）とユーザプレーン（ＵＰ）中央ユニット（ＣＵ−ＵＰ）とに分離され得る。
【０００９】
ＣＵ−ＣＰとＣＵ−ＵＰとの間にオープンインターフェースもあり得る。このインターフェースは、Ｅ１インターフェースと呼ばれることがある。
【００１０】
図２は、スプリットｇＮＢアーキテクチャの一例を示す。
【００１１】
スプリットｇＮＢアーキテクチャのための少なくとも３つの展開シナリオがあり得る。シナリオ１では、ｇＮＢのＣＵ−ＣＰとＣＵ−ＵＰとの両方が集中型である。シナリオ２では、ＣＵ−ＣＰは分散型であり、ＣＵ−ＵＰは集中型である。シナリオ３では、ＣＵ−ＣＰは集中型であり、ＣＵ−ＵＰは分散型である。
【００１２】
Ｅ１アプリケーションプロトコル（Ｅ１ＡＰ）は、ＵＥにユーザプレーンサービスを提供するために、ＣＵ−ＣＰとＣＵ−ＵＰとの間で交換され得るメッセージを規定し得る。
【００１３】
現在、（１つまたは複数の）ある課題が存在する。様々な条件下で、無線リンク制御（ＲＬＣ）エンティティの再確立が必要とされ得る。パケットロスを防ぐために、ＲＬＣ再確立は、パケットデータコンバージェンスプロトコル（ＰＤＣＰ）データ回復と組み合わせられ得る。
【００１４】
基地局の中央ユニットのユーザプレーンと制御プレーンとがスプリットされるシナリオでは、制御プレーンは、ユーザプレーンに、ＰＤＣＰデータ回復が必要とされることを知らせ得る。このようにして、ユーザプレーンは、確認応答がない（ｕｎａｃｋｎｏｗｌｅｄｇｅｄ）ＰＤＣＰパケットデータユニット（ＰＤＵ）をＵＥに再送信するように命令され得る。
【００１５】
しかしながら、現在、ユーザプレーンに、ＰＤＣＰデータ回復が必要とされることを知らせるための機構がない。
【００１６】
本開示のいくつかの態様およびそれらの実施形態は、これらまたは他の課題のソリューションを提供し得る。本明細書で説明される実施形態は、（たとえば、基地局分散型ユニット（たとえば、ｇＮＢ−ＤＵ））におけるＲＬＣ再確立を、基地局のユーザプレーンデータ処理装置におけるＰＤＣＰデータ回復と同期させるための機構を提供する。ソリューションは、ユーザプレーンデータ処理装置がＰＤＣＰデータ回復を実施することを要求する、Ｅ１インターフェース上のシグナリングを可能にするための機構を提供する。
【００１７】
本明細書で開示される問題点のうちの１つまたは複数に対処する様々な実施形態が、本明細書で提案される。
【００１８】
いくつかの実施形態は、（１つまたは複数の）以下の技術的利点のうちの１つまたは複数を提供し得る。指定されたＰＤＣＰ方法を使用することによる、基地局の中央ユニットのユーザプレーン上での、影響を受ける専用無線ベアラ（ＤＲＢ）のＰＤＣＰデータ回復の有効化。
【図面の簡単な説明】
【００１９】
【図１】現在の５Ｇ無線アクセスネットワーク（ＮＧ−ＲＡＮ）アーキテクチャを示す図である。
【図２】スプリットｇＮＢアーキテクチャの一例を示す図である。
【図３】制御プレーン処理とユーザプレーン処理とが２つの装置間でスプリットされた、ＰＤＣＰデータ回復のためのプロシージャの一例を示す図である。
【図４】いくつかの実施形態による無線ネットワークを示す図である。
【図５】いくつかの実施形態によるユーザ機器を示す図である。
【図６】いくつかの実施形態による仮想化環境を示す図である。
【図７】いくつかの実施形態による、中間ネットワークを介してホストコンピュータに接続された通信ネットワークを示す図である。
【図８】いくつかの実施形態による、部分的無線接続上で基地局を介してユーザ機器と通信するホストコンピュータを示す図である。
【図９】いくつかの実施形態による、ホストコンピュータと、基地局と、ユーザ機器とを含む通信システムにおいて実装される方法を示す図である。
【図１０】いくつかの実施形態による、ホストコンピュータと、基地局と、ユーザ機器とを含む通信システムにおいて実装される方法を示す図である。
【図１１】いくつかの実施形態による、ホストコンピュータと、基地局と、ユーザ機器とを含む通信システムにおいて実装される方法を示す図である。
【図１２】いくつかの実施形態による、ホストコンピュータと、基地局と、ユーザ機器とを含む通信システムにおいて実装される方法を示す図である。
【図１３】いくつかの実施形態による方法を示す図である。
【図１４】いくつかの実施形態による仮想化装置を示す図である。
【図１５】いくつかの実施形態による方法を示す図である。
【図１６】いくつかの実施形態による仮想化装置を示す図である。
【発明を実施するための形態】
【００２０】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００２１】
停止（ｏｕｔａｇｅ）が基地局の分散型ユニットとユーザ機器との間で発生するときにデータパケットのロスを回避するために、無線リンク制御（ＲＬＣ）再確立がＰＤＣＰデータ回復と同期され得る。ＰＤＣＰデータ回復についての要求を受信したとき、ＵＥによって前に確認応答されなかった、および再送信されない場合に本来なら失われたであろう、すべてのＰＤＣＰパケットデータユニット（ＰＤＵ）が再送信され得る。
【００２２】
図２において上記で示されたアーキテクチャでは、制御プレーン処理とユーザプレーン処理とがスプリットされるので、基地局の分散型ユニット（ＤＵ）が、ＤＵとＵＥとの間でアップリンクおよび／またはダウンリンク送信における停止を検出し、ＲＬＣ再確立を実施することを判断する場合、ＤＵは、Ｆ１インターフェース上で制御プレーン処理装置（たとえば、ｇＮＢ−ＣＵ−ＣＰ）に知らせ得る。基地局の制御プレーン処理装置は、次いで、Ｅ１インターフェース上で基地局のユーザプレーン処理装置（たとえばｇＮＢ−ＣＵ−ＵＰ）に知らせ得る。この通知は、各影響を受ける専用無線ベアラについて実施され得る。
【００２３】
制御プレーン処理装置は集中型または分散型であり得ることが諒解されよう。また、ユーザプレーン処理装置は集中型または分散型であり得ることが諒解されよう。制御プレーン処理装置が分散型であるいくつかの例では、制御プレーン処理装置はｇＮＢ−ＤＵとコロケートされ得る。ユーザプレーン処理装置が分散型であるいくつかの例では、ユーザプレーン処理装置はｇＮＢ−ＤＵとコロケートされ得る。
【００２４】
図３は、制御プレーン処理とユーザプレーン処理とが２つの装置間でスプリットされた、ＰＤＣＰデータ回復のためのプロシージャの一例を示す。
【００２５】
ステップ０において、ｇＮＢ−ＤＵは、ＤＬ／ＵＬ停止が発生したことを検出し、ＲＬＣを再確立することを判断する。
【００２６】
ステップ１において、ｇＮＢ−ＤＵは、ＤＬ／ＵＬ停止が発生したという指示を制御プレーンデータ処理装置（ｅＮＢ−ＣＵ−ＣＰ）に送信する。この例では、その指示は、（１）ｒｅｅｓｔａｂｌｉｓｈＲＬＣフラグが真にセットされた、セルグループ設定（ＣｅｌｌＧｒｏｕｐＣｏｎｆｉｇ）を指示する情報エレメントと、（２）ＲＬＣ再確立が実施されたことを制御プレーンデータ処理装置（ｇＮＢ−ＣＵ−ＣＰ）に指示するための「ＲＬＣステータス」情報エレメントとを備える、ＵＥコンテキスト修正必要メッセージ（ＵＥ  Ｃｏｎｔｅｘｔ  Ｍｏｄｉｆｉｃａｔｉｏｎ  Ｒｅｑｕｉｒｅｄ  ｍｅｓｓａｇｅ）を備える。
【００２７】
いくつかの例では、たとえば、制御プレーンが分散型であり、ユーザプレーンが集中型であるシナリオ２では、基地局の分散型ユニットは、制御プレーンデータ処理装置とコロケートされ得る。この例では、制御プレーンデータ処理装置は、基地局の分散型ユニットが停止を検出したとき、ＵＬおよび／またはＤＬ停止が発生するという指示を取得し得る。
【００２８】
ステップ２において、制御プレーンデータ処理装置は、次いで、アップリンク（ＵＬ）およびダウンリンク（ＤＬ）においてＰＤＣＰデータ回復を実施することを判断し得る。ＵＬの場合、制御プレーンデータ処理装置は、フィールド（ｇＮＢ−ＤＵによって生成された）ＣｅｌｌＧｒｏｕｐＣｏｎｆｉｇとｒｅｃｏｖｅｒＰＤＣＰ指示とを備える無線リソース制御（ＲＲＣ）再設定メッセージを生成し得る。制御プレーンデータ処理装置は、次いで、ＲＲＣ再設定メッセージをＵＥに送信し得る。
【００２９】
ステップ３において、制御プレーンデータ処理装置は、ＤＬにおけるＰＤＣＰデータ回復を始動する。  たとえば、制御プレーンデータ処理装置は、ＵＥによって確認応答されなかった、ＵＥに前に送信されたデータプロトコルユニットを再送信するように、ユーザプレーンデータ処理装置に命令する要求をＵＰデータ処理装置に送信し得る。  たとえば、要求は、ＰＤＣＰデータ回復が要求されることを指示するＰＤＣＰデータ回復情報エレメント（ＩＥ）を備える、ユーザプレーンにベアラコンテキストをセットアップするように要求するように設定されたベアラコンテキスト修正要求を備え得る。言い換えれば、いくつかの実施形態では、新しい「ＰＤＣＰデータ回復」情報エレメントは、ベアラコンテキスト修正要求メッセージ中に含まれ得る。この情報エレメントを受信したとき、ユーザプレーンデータ処理装置は、すべての確認応答がないＰＤＣＰパケットデータユニットを当該のＵＥに再送信するように設定され得る。
【００３０】
ステップ４において、ユーザプレーンデータ処理装置は、ベアラコンテキスト修正応答で返答する。
【００３１】
いくつかの例では、新しい情報エレメントのこの導入を達成するために、新しい情報エレメントＰＤＣＰデータ回復指示が、ベアラコンテキスト修正要求メッセージ中のリストを修正すべき専用リソースベアラ（ＤＲＢ）ＩＥにおいて導入される。ユーザプレーンデータ処理装置が、ＰＤＣＰデータ回復が要求されることを指示するそのような情報エレメントを受信したとき、ユーザプレーンデータ処理装置は、ＰＤＣＰ仕様によって指定されているように、関連するＤＲＢのためにＤＬにおけるＰＤＣＰデータ回復を実施する。
【００３２】
そのような能力をサポートするために、ベアラコンテキスト修正要求メッセージは、以下の表１に示されているように修正され得る。
【００３３】
このメッセージは、ｇＮＢ−ＣＵ−ＵＰにベアラコンテキストをセットアップするように要求するために、ｇＮＢ−ＣＵ−ＣＰによって送信され得る。
2021528928.tif 000003
2021528928.tif 000004
2021528928.tif 000005
2021528928.tif 000006
2021528928.tif 000007
2021528928.tif 000008
2021528928.tif 000009
2021528928.tif 000010
2021528928.tif 000011
表１：いくつかの例によるベアラコンテキスト修正要求の一例を示す。
【００３４】
図４は、いくつかの実施形態による無線ネットワークを示す。
【００３５】
本明細書で説明される主題は、任意の好適な構成要素を使用する任意の適切なタイプのシステムにおいて実装され得るが、本明細書で開示される実施形態は、図４に示されている例示的な無線ネットワークなどの無線ネットワークに関して説明される。簡単のために、図４の無線ネットワークは、ネットワーク４０６、ネットワークノード４６０および４６０ｂ、ならびにＷＤ４１０、４１０ｂ、および４１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード４６０および無線デバイス（ＷＤ）４１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００３６】
無線ネットワークは、任意のタイプの通信、通信、データ、セルラー、および／または無線ネットワーク、あるいは他の同様のタイプのシステムを備え、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、汎欧州デジタル移動電話方式（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００３７】
ネットワーク４０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００３８】
ネットワークノード４６０およびＷＤ４１０は、以下でより詳細に説明される様々な構成要素を備える。これらの構成要素は、無線ネットワークにおいて無線接続を提供することなど、ネットワークノードおよび／または無線デバイス機能を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【００３９】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００４０】
図４では、ネットワークノード４６０は、処理回路４７０と、デバイス可読媒体４８０と、インターフェース４９０と、補助機器４８４と、電源４８６と、電力回路４８７と、アンテナ４６２とを含む。図４の例示的な無線ネットワーク中に示されているネットワークノード４６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード４６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体４８０は、複数の別個のハードドライブならびに複数のＲＡＭモジュールを備え得る）。
【００４１】
同様に、ネットワークノード４６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。特に、ネットワークノード４６０は、図２に示されているようなものであり得るｇＮＢを備え得る。言い換えれば、分散型ユニットと中央ユニットとを備え得る。特に、ユーザプレーン処理と制御プレーン処理とはスプリットされ得る。ネットワークノード４６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード４６０は、複数の無線アクセス技術（ＲＡＴ）をサポートするように設定され得る。そのような実施形態では、いくつかの構成要素は複製され得（たとえば、異なるＲＡＴのための別個のデバイス可読媒体４８０）、いくつかの構成要素は再使用され得る（たとえば、同じアンテナ４６２がＲＡＴによって共有され得る）。ネットワークノード４６０は、ネットワークノード４６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード４６０内の他の構成要素に統合され得る。
【００４２】
処理回路４７０は、ネットワークノードによって提供されるものとして本明細書で説明される、任意の決定動作、計算動作、または同様の動作（たとえば、いくつかの取得動作）を実施するように設定される。処理回路４７０によって実施されるこれらの動作は、処理回路４７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００４３】
処理回路４７０は、単体で、またはデバイス可読媒体４８０などの他のネットワークノード４６０構成要素と併せてのいずれかで、ネットワークノード４６０機能を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路４７０は、デバイス可読媒体４８０に記憶された命令、または処理回路４７０内のメモリに記憶された命令を実行し得る。そのような機能は、本明細書で説明される様々な無線特徴、機能、または利益のうちのいずれかを提供することを含み得る。いくつかの実施形態では、処理回路４７０は、システムオンチップ（ＳＯＣ）を含み得る。
【００４４】
いくつかの実施形態では、処理回路４７０は、無線周波数（ＲＦ）トランシーバ回路４７２とベースバンド処理回路４７４とのうちの１つまたは複数を含み得る。いくつかの実施形態では、無線周波数（ＲＦ）トランシーバ回路４７２とベースバンド処理回路４７４とは、別個のチップ（またはチップのセット）、ボード、または無線ユニットおよびデジタルユニットなどのユニット上にあり得る。代替実施形態では、ＲＦトランシーバ回路４７２とベースバンド処理回路４７４との一部または全部は、同じチップまたはチップのセット、ボード、あるいはユニット上にあり得る。
【００４５】
いくつかの実施形態では、ネットワークノード、基地局、ｅＮＢまたは他のそのようなネットワークデバイスによって提供されるものとして本明細書で説明される機能の一部または全部は、デバイス可読媒体４８０、または処理回路４７０内のメモリに記憶された、命令を実行する処理回路４７０によって実施され得る。代替実施形態では、機能の一部または全部は、ハードワイヤード様式などで、別個のまたは個別のデバイス可読媒体に記憶された命令を実行することなしに、処理回路４７０によって提供され得る。それらの実施形態のいずれでも、デバイス可読記憶媒体に記憶された命令を実行するか否かにかかわらず、処理回路４７０は、説明される機能を実施するように設定され得る。そのような機能によって提供される利益は、処理回路４７０単独に、またはネットワークノード４６０の他の構成要素に限定されないが、全体としてネットワークノード４６０によって、ならびに／または概してエンドユーザおよび無線ネットワークによって、享受される。
【００４６】
デバイス可読媒体４８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路４７０によって使用され得る情報、データ、および／または命令を記憶する、任意の他の揮発性または不揮発性、非一時的デバイス可読および／またはコンピュータ実行可能メモリデバイスを備え得る。デバイス可読媒体４８０は、コンピュータプログラム、ソフトウェア、論理、ルール、コード、表などのうちの１つまたは複数を含むアプリケーション、および／または処理回路４７０によって実行されることが可能であり、ネットワークノード４６０によって利用される、他の命令を含む、任意の好適な命令、データまたは情報を記憶し得る。デバイス可読媒体４８０は、処理回路４７０によって行われた計算および／またはインターフェース４９０を介して受信されたデータを記憶するために使用され得る。いくつかの実施形態では、処理回路４７０およびデバイス可読媒体４８０は、統合されていると見なされ得る。
【００４７】
インターフェース４９０は、ネットワークノード４６０、ネットワーク４０６、および／またはＷＤ４１０の間のシグナリングおよび／またはデータの有線または無線通信において使用される。示されているように、インターフェース４９０は、たとえば有線接続上でネットワーク４０６との間でデータを送るおよび受信するための（１つまたは複数の）ポート／（１つまたは複数の）端末４９４を備える。インターフェース４９０は、アンテナ４６２に結合されるか、またはいくつかの実施形態では、アンテナ４６２の一部であり得る、無線フロントエンド回路４９２をも含む。無線フロントエンド回路４９２は、フィルタ４９８と増幅器４９６とを備える。無線フロントエンド回路４９２は、アンテナ４６２および処理回路４７０に接続され得る。無線フロントエンド回路は、アンテナ４６２と処理回路４７０との間で通信される信号を調節するように設定され得る。無線フロントエンド回路４９２は、無線接続を介して他のネットワークノードまたはＷＤに送出されるべきであるデジタルデータを受信し得る。無線フロントエンド回路４９２は、デジタルデータを、フィルタ４９８および／または増幅器４９６の組合せを使用して適切なチャネルおよび帯域幅パラメータを有する無線信号に変換し得る。無線信号は、次いで、アンテナ４６２を介して送信され得る。同様に、データを受信するとき、アンテナ４６２は無線信号を集め得、次いで、無線信号は無線フロントエンド回路４９２によってデジタルデータに変換される。デジタルデータは、処理回路４７０に受け渡され得る。他の実施形態では、インターフェースは、異なる構成要素および／または構成要素の異なる組合せを備え得る。
【００４８】
いくつかの代替実施形態では、ネットワークノード４６０は別個の無線フロントエンド回路４９２を含まないことがあり、代わりに、処理回路４７０は、無線フロントエンド回路を備え得、別個の無線フロントエンド回路４９２なしでアンテナ４６２に接続され得る。同様に、いくつかの実施形態では、ＲＦトランシーバ回路４７２の全部または一部が、インターフェース４９０の一部と考えられ得る。さらに他の実施形態では、インターフェース４９０は、無線ユニット（図示せず）の一部として、１つまたは複数のポートまたは端末４９４と、無線フロントエンド回路４９２と、ＲＦトランシーバ回路３７２とを含み得、インターフェース４９０は、デジタルユニット（図示せず）の一部であるベースバンド処理回路４７４と通信し得る。
【００４９】
アンテナ４６２は、無線信号を送るおよび／または受信するように設定された、１つまたは複数のアンテナまたはアンテナアレイを含み得る。アンテナ４６２は、無線フロントエンド回路４９２に結合され得、データおよび／または信号を無線で送信および受信することが可能な任意のタイプのアンテナであり得る。いくつかの実施形態では、アンテナ４６２は、たとえば２ＧＨｚから６６ＧＨｚの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ４６２は、ネットワークノード４６０とは別個であり得、インターフェースまたはポートを通してネットワークノード４６０に接続可能であり得る。
【００５０】
アンテナ４６２、インターフェース４９０、および／または処理回路４７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ４６２、インターフェース４９０、および／または処理回路４７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【００５１】
電力回路４８７は、電力管理回路を備えるか、または電力管理回路に結合され得、本明細書で説明される機能を実施するための電力を、ネットワークノード４６０の構成要素に供給するように設定される。電力回路４８７は、電源４８６から電力を受信し得る。電源４８６および／または電力回路４８７は、それぞれの構成要素に好適な形式で（たとえば、各それぞれの構成要素のために必要とされる電圧および電流レベルにおいて）、ネットワークノード４６０様々な構成要素に電力を提供するように設定され得る。電源４８６は、電力回路４８７および／またはネットワークノード４６０中に含まれるか、あるいは電力回路４８７および／またはネットワークノード４６０の外部にあるかのいずれかであり得る。たとえば、ネットワークノード４６０は、電気ケーブルなどの入力回路またはインターフェースを介して外部電源（たとえば、電気コンセント）に接続可能であり得、それにより、外部電源は電力回路４８７に電力を供給する。さらなる例として、電源４８６は、電力回路４８７に接続された、または電力回路４８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【００５２】
ネットワークノード４６０の代替実施形態は、本明細書で説明される機能、および／または本明細書で説明される主題をサポートするために必要な機能のうちのいずれかを含む、ネットワークノードの機能のいくつかの態様を提供することを担当し得る、図４に示されている構成要素以外の追加の構成要素を含み得る。たとえば、ネットワークノード４６０は、ネットワークノード４６０への情報の入力を可能にするための、およびネットワークノード４６０からの情報の出力を可能にするための、ユーザインターフェース機器を含み得る。これは、ユーザが、ネットワークノード４６０のための診断、メンテナンス、修復、および他のアドミニストレーティブ機能を実施することを可能にし得る。
【００５３】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ−ｐｒｅｍｉｓｅ  ｅｑｕｉｐｍｅｎｔ）、車載無線端末デバイスなどを含む。ＷＤは、たとえばサイドリンク通信、Ｖ２Ｖ（Ｖｅｈｉｃｌｅ−ｔｏ−Ｖｅｈｉｃｌｅ）、Ｖ２Ｉ（Ｖｅｈｉｃｌｅ−ｔｏ−Ｉｎｆｒａｓｔｒｕｃｔｕｒｅ）、Ｖ２Ｘ（Ｖｅｈｉｃｌｅ−ｔｏ−Ｅｖｅｒｙｔｈｉｎｇ）のための３ＧＰＰ規格を実装することによって、Ｄ２Ｄ（ｄｅｖｉｃｅ−ｔｏ−ｄｅｖｉｃｅ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシンツーマシン（Ｍ２Ｍ）デバイスであり得、Ｍ２Ｍデバイスは、３ＧＰＰコンテキストではＭＴＣデバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連する他の機能が可能である。上記で説明されたＷＤは無線接続のエンドポイントを表し得、その場合、デバイスは無線端末と呼ばれることがある。さらに、上記で説明されたＷＤはモバイルであり得、その場合、���バイスはモバイルデバイスまたはモバイル端末と呼ばれることもある。
【００５４】
示されているように、無線デバイス４１０は、アンテナ４１１と、インターフェース４１４と、処理回路４２０と、デバイス可読媒体４３０と、ユーザインターフェース機器４３２と、補助機器４３４と、電源４３６と、電力回路４３７とを含む。ＷＤ４１０は、ＷＤ４１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ４１０内の他の構成要素と同じまたは異なるチップまたはチップのセットに統合され得る。
【００５５】
アンテナ４１１は、無線信号を送るおよび／または受信するように設定された、１つまたは複数のアンテナまたはアンテナアレイを含み得、インターフェース４１４に接続される。いくつかの代替実施形態では、アンテナ４１１は、ＷＤ４１０とは別個であり、インターフェースまたはポートを通してＷＤ４１０に接続可能であり得る。アンテナ４１１、インターフェース４１４、および／または処理回路４２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路および／またはアンテナ４１１は、インターフェースと見なされ得る。
【００５６】
示されているように、インターフェース４１４は、無線フロントエンド回路４１２とアンテナ４１１とを備える。無線フロントエンド回路４１２は、１つまたは複数のフィルタ４１８と増幅器４１６とを備える。無線フロントエンド回路４１２は、アンテナ４１１および処理回路４２０に接続され、アンテナ４１１と処理回路４２０との間で通信される信号を調節するように設定される。無線フロントエンド回路４１２は、アンテナ４１１に結合されるか、またはアンテナ４１１の一部であり得る。いくつかの実施形態では、ＷＤ４１０は別個の無線フロントエンド回路４１２を含まないことがあり、むしろ、処理回路４２０は、無線フロントエンド回路を備え得、アンテナ４１１に接続され得る。同様に、いくつかの実施形態では、ＲＦトランシーバ回路４２２の一部または全部が、インターフェース４１４の一部と見なされ得る。無線フロントエンド回路４１２は、無線接続を介して他のネットワークノードまたはＷＤに送出されるべきであるデジタルデータを受信し得る。無線フロントエンド回路４１２は、デジタルデータを、フィルタ４１８および／または増幅器４１６の組合せを使用して適切なチャネルおよび帯域幅パラメータを有する無線信号に変換し得る。無線信号は、次いで、アンテナ４１１を介して送信され得る。同様に、データを受信するとき、アンテナ４１１は無線信号を集め得、次いで、無線信号は無線フロントエンド回路４１２によってデジタルデータに変換される。デジタルデータは、処理回路４２０に受け渡され得る。他の実施形態では、インターフェースは、異なる構成要素および／または構成要素の異なる組合せを備え得る。
【００５７】
処理回路４２０は、単体で、またはデバイス可読媒体４３０などの他のＷＤ４１０構成要素と併せてのいずれかで、ＷＤ４１０機能を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能は、本明細書で説明される様々な無線特徴または利益のうちのいずれかを提供することを含み得る。たとえば、処理回路４２０は、本明細書で開示される機能を提供するために、デバイス可読媒体４３０に記憶された命令、または処理回路４２０内のメモリに記憶された命令を実行し得る。
【００５８】
示されているように、処理回路４２０は、ＲＦトランシーバ回路４２２、ベースバンド処理回路４２４、およびアプリケーション処理回路４２６のうちの１つまたは複数を含む。他の実施形態では、処理回路は、異なる構成要素および／または構成要素の異なる組合せを備え得る。いくつかの実施形態では、ＷＤ４１０の処理回路４２０は、ＳＯＣを備え得る。いくつかの実施形態では、ＲＦトランシーバ回路４２２、ベースバンド処理回路４２４、およびアプリケーション処理回路４２６は、別個のチップまたはチップのセット上にあり得る。代替実施形態では、ベースバンド処理回路４２４およびアプリケーション処理回路４２６の一部または全部は１つのチップまたはチップのセットになるように組み合わせられ得、ＲＦトランシーバ回路４２２は別個のチップまたはチップのセット上にあり得る。さらに代替の実施形態では、ＲＦトランシーバ回路４２２およびベースバンド処理回路４２４の一部または全部は同じチップまたはチップのセット上にあり得、アプリケーション処理回路４２６は別個のチップまたはチップのセット上にあり得る。また他の代替実施形態では、ＲＦトランシーバ回路４２２、ベースバンド処理回路４２４、およびアプリケーション処理回路４２６の一部または全部は、同じチップまたはチップのセット中で組み合わせられ得る。いくつかの実施形態では、ＲＦトランシーバ回路４２２は、インターフェース４１４の一部であり得る。ＲＦトランシーバ回路４２２は、処理回路４２０のためのＲＦ信号を調節し得る。
【００５９】
いくつかの実施形態では、ＷＤによって実施されるものとして本明細書で説明される機能の一部または全部は、デバイス可読媒体４３０に記憶された命令を実行する処理回路４２０によって提供され得、デバイス可読媒体４３０は、いくつかの実施形態では、コンピュータ可読記憶媒体であり得る。代替実施形態では、機能の一部または全部は、ハードワイヤード様式などで、別個のまたは個別のデバイス可読記憶媒体に記憶された命令を実行することなしに、処理回路４２０によって提供され得る。それらの特定の実施形態のいずれでも、デバイス可読記憶媒体に記憶された命令を実行するか否かにかかわらず、処理回路４２０は、説明される機能を実施するように設定され得る。そのような機能によって提供される利益は、処理回路４２０単独に、またはＷＤ４１０の他の構成要素に限定されないが、全体としてＷＤ４１０によって、ならびに／または概してエンドユーザおよび無線ネットワークによって、享受される。
【００６０】
処理回路４２０は、ＷＤによって実施されるものとして本明細書で説明される、任意の決定動作、計算動作、または同様の動作（たとえば、いくつかの取得動作）を実施するように設定され得る。処理回路４２０によって実施されるようなこれらの動作は、処理回路４２０によって取得された情報を、たとえば、取得された情報を他の情報に変換することによって、処理すること、取得された情報または変換された情報をＷＤ４１０によって記憶された情報と比較すること、ならびに／あるいは、取得された情報または変換された情報に基づいて、および前記処理が決定を行ったことの結果として、１つまたは複数の動作を実施することを含み得る。
【００６１】
デバイス可読媒体４３０は、コンピュータプログラム、ソフトウェア、論理、ルール、コード、表などのうちの１つまたは複数を含むアプリケーション、および／または処理回路４２０によって実行されることが可能な他の命令を記憶するように動作可能であり得る。デバイス可読媒体４３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路４２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路４２０およびデバイス可読媒体４３０は、統合されていると見なされ得る。
【００６２】
ユーザインターフェース機器４３２は、人間のユーザがＷＤ４１０と対話することを可能にする構成要素を提供し得る。そのような対話は、視覚、聴覚、触覚など、多くの形式のものであり得る。ユーザインターフェース機器４３２は、ユーザへの出力を作り出すように、およびユーザがＷＤ４１０への入力を提供することを可能にするように動作可能であり得る。対話のタイプは、ＷＤ４１０にインストールされるユーザインターフェース機器４３２のタイプに応じて変動し得る。たとえば、ＷＤ４１０がスマートフォンである場合、対話はタッチスクリーンを介したものであり得、ＷＤ４１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器４３２は、入力インターフェース、デバイスおよび回路、ならびに、出力インターフェース、デバイスおよび回路を含み得る。ユーザインターフェース機器４３２は、ＷＤ４１０への情報の入力を可能にするように設定され、処理回路４２０が入力情報を処理することを可能にするために、処理回路４２０に接続される。ユーザインターフェース機器４３２は、たとえば、マイクロフォン、近接度または他のセンサー、キー／ボタン、タッチディスプレイ、１つまたは複数のカメラ、ＵＳＢポート、あるいは他の入力回路を含み得る。ユーザインターフェース機器４３２はまた、ＷＤ４１０からの情報の出力を可能にするように、および処理回路４２０がＷＤ４１０からの情報を出力することを可能にするように設定される。ユーザインターフェース機器４３２は、たとえば、スピーカー、ディスプレイ、振動回路、ＵＳＢポート、ヘッドフォンインターフェース、または他の出力回路を含み得る。ユーザインターフェース機器４３２の１つまたは複数の入力および出力インターフェース、デバイス、および回路を使用して、ＷＤ４１０は、エンドユーザおよび／または無線ネットワークと通信し、エンドユーザおよび／または無線ネットワークが本明細書で説明される機能から利益を得ることを可能にし得る。
【００６３】
補助機器４３４は、概してＷＤによって実施されないことがある、より固有の機能を提供するように動作可能である。これは、様々な目的のために測定を行うための特殊なセンサー、有線通信などの追加のタイプの通信のためのインターフェースなどを備え得る。補助機器４３４の構成要素の包含、および補助機器４３４の構成要素のタイプは、実施形態および／またはシナリオに応じて変動し得る。
【００６４】
電源４３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ４１０は、電源４３６から、本明細書で説明または指示される任意の機能を行うために電源４３６からの電力を必要とする、ＷＤ４１０の様々な部分に電力を配信するための、電力回路４３７をさらに備え得る。電力回路４３７は、いくつかの実施形態では、電力管理回路を備え得る。電力回路４３７は、追加または代替として、外部電源から電力を受信するように動作可能であり得、その場合、ＷＤ４１０は、電力ケーブルなどの入力回路またはインターフェースを介して（電気コンセントなどの）外部電源に接続可能であり得る。電力回路４３７はまた、いくつかの実施形態では、外部電源から電源４３６に電力を配信するように動作可能であり得る。これは、たとえば、電源４３６の充電のためのものであり得る。電力回路４３７は、電源４３６からの電力に対して、その電力を、電力が供給されるＷＤ４１０のそれぞれの構成要素に好適であるようにするために、任意のフォーマッティング、変換、または他の修正を実施し得る。
【００６５】
図５は、いくつかの実施形態によるユーザ機器を示す。
【００６６】
図５は、本明細書で説明される様々な態様による、ＵＥの一実施形態を示す。本明細書で使用されるユーザ機器またはＵＥは、必ずしも、関連するデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連しないことがあるか、または特定の人間のユーザに初めに関連しないことがある、デバイス（たとえば、スマートスプリンクラーコントローラ）を表し得る。代替的に、ＵＥは、エンドユーザへの販売、またはエンドユーザによる動作を意図されないが、ユーザに関連するか、またはユーザの利益のために動作され得る、デバイス（たとえば、スマート電力計）を表し得る。ＵＥ５００は、ＮＢ−ＩｏＴ  ＵＥ、マシン型通信（ＭＴＣ）ＵＥ、および／または拡張ＭＴＣ（ｅＭＴＣ）ＵＥを含む、第３世代パートナーシッププロジェクト（３ＧＰＰ）によって識別される任意のＵＥであり得る。図５に示されているＵＥ５００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図５はＵＥであるが、本明細書で説明される構成要素は、ＷＤに等しく適用可能であり、その逆も同様である。
【００６７】
図５では、ＵＥ５００は、入出力インターフェース５０５、無線周波数（ＲＦ）インターフェース５０９、ネットワーク接続インターフェース５１１、ランダムアクセスメモリ（ＲＡＭ）５１７と読取り専用メモリ（ＲＯＭ）５１９と記憶媒体５２１などとを含むメモリ５１５、通信サブシステム５３１、電源５１３、および／または他の構成要素、あるいはそれらの任意の組合せに動作可能に結合された、処理回路５０１を含む。記憶媒体５２１は、オペレーティングシステム５２３と、アプリケーションプログラム５２５と、データ５２７とを含む。他の実施形態では、記憶媒体５２１は、他の同様のタイプの情報を含み得る。いくつかのＵＥは、図５に示されている構成要素のすべてを利用するか、またはそれらの構成要素のサブセットのみを利用し得る。構成要素間の統合のレベルは、ＵＥごとに変動し得る。さらに、いくつかのＵＥは、複数のプロセッサ、メモリ、トランシーバ、送信機、受信機など、構成要素の複数のインスタンスを含んでいることがある。
【００６８】
図５では、処理回路５０１は、コンピュータ命令およびデータを処理するように設定され得る。処理回路５０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路５０１は、２つの中央処理ユニット（ＣＰＵ）を含み得る。データは、コンピュータによる使用に好適な形式での情報であり得る。
【００６９】
図示された実施形態では、入出力インターフェース５０５は、入力デバイス、出力デバイス、または入出力デバイスに通信インターフェースを提供するように設定され得る。ＵＥ５００は、入出力インターフェース５０５を介して出力デバイスを使用するように設定され得る。出力デバイスは、入力デバイスと同じタイプのインターフェースポートを使用し得る。たとえば、ＵＥ５００への入力およびＵＥ５００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ５００は、ユーザがＵＥ５００に情報をキャプチャすることを可能にするために、入出力インターフェース５０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【００７０】
図５では、ＲＦインターフェース５０９は、送信機、受信機、およびアンテナなど、ＲＦ構成要素に通信インターフェースを提供するように設定され得る。ネットワーク接続インターフェース５１１は、ネットワーク５４３ａに通信インターフェースを提供するように設定され得る。ネットワーク５４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク５４３ａは、Ｗｉ−Ｆｉネットワークを備え得る。ネットワーク接続インターフェース５１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース５１１は、通信ネットワークリンク（たとえば、光学的、電気的など）に適した受信機および送信機機能を実装し得る。送信機および受信機機能は、回路構成要素、ソフトウェアまたはファームウェアを共有し得るか、あるいは、代替的に、別個に実装され得る。
【００７１】
ＲＡＭ５１７は、オペレーティングシステム、アプリケーションプログラム、およびデバイスドライバなど、ソフトウェアプログラムの実行中に、データまたはコンピュータ命令の記憶またはキャッシングを提供するために、バス５０２を介して処理回路５０１にインターフェースするように設定され得る。ＲＯＭ５１９は、処理回路５０１にコンピュータ命令またはデータを提供するように設定され得る。たとえば、ＲＯＭ５１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体５２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、リムーバブルカートリッジ、またはフラッシュドライブなど、メモリを含むように設定され得る。一例では、記憶媒体５２１は、オペレーティングシステム５２３と、ウェブブラウザアプリケーション、ウィジェットまたはガジェットエンジン、あるいは別のアプリケーションなどのアプリケーションプログラム５２５と、データファイル５２７とを含むように設定され得る。記憶媒体５２１は、ＵＥ５００による使用のために、多様な様々なオペレーティングシステムまたはオペレーティングシステムの組合せのうちのいずれかを記憶し得る。
【００７２】
記憶媒体５２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、あるいはそれらの任意の組合せなど、いくつかの物理ドライブユニットを含むように設定され得る。記憶媒体５２１は、ＵＥ５００が、一時的または非一時的メモリ媒体に記憶されたコンピュータ実行可能命令、アプリケーションプログラムなどにアクセスすること、データをオフロードすること、あるいはデータをアップロードすることを可能にし得る。通信システムを利用する製造品などの製造品は、記憶媒体５２１中に有形に具現され得、記憶媒体５２１はデバイス可読媒体を備え得る。
【００７３】
図５では、処理回路５０１は、通信サブシステム５３１を使用してネットワーク５４３ｂと通信するように設定され得る。ネットワーク５４３ａとネットワーク５４３ｂとは、同じ１つまたは複数のネットワークまたは異なる１つまたは複数のネットワークであり得る。通信サブシステム５３１は、ネットワーク５４３ｂと通信するために使用される１つまたは複数のトランシーバを含むように設定され得る。たとえば、通信サブシステム５３１は、ＩＥＥＥ８０２．１１、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能または受信機機能をそれぞれ実装するための、送信機５３３および／または受信機５３５を含み得る。さらに、各トランシーバの送信機５３３および受信機５３５は、回路構成要素、ソフトウェアまたはファームウェアを共有し得るか、あるいは、代替的に、別個に実装され得る。
【００７４】
示されている実施形態では、通信サブシステム５３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム５３１は、セルラー通信と、Ｗｉ−Ｆｉ通信と、Ｂｌｕｅｔｏｏｔｈ通信と、ＧＰＳ通信とを含み得る。ネットワーク５４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク５４３ｂは、セルラーネットワーク、Ｗｉ−Ｆｉネットワーク、および／またはニアフィールドネットワークであり得る。電源５１３は、ＵＥ５００の構成要素に交流（ＡＣ）または直流（ＤＣ）電力を提供するように設定され得る。
【００７５】
本明細書で説明される特徴、利益および／または機能は、ＵＥ５００の構成要素のうちの１つにおいて実装されるか、またはＵＥ５００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム５３１は、本明細書で説明される構成要素のうちのいずれかを含むように設定され得る。さらに、処理回路５０１は、バス５０２上でそのような構成要素のうちのいずれかと通信するように設定され得る。別の例では、そのような構成要素のうちのいずれかは、処理回路５０１によって実行されたとき、本明細書で説明される対応する機能を実施する、メモリに記憶されたプログラム命令によって表され得る。別の例では、そのような構成要素のうちのいずれかの機能は、処理回路５０１と通信サブシステム５３１との間で分割され得る。別の例では、そのような構成要素のうちのいずれかの非計算集約的機能が、ソフトウェアまたはファームウェアで実装され得、計算集約的機能がハードウェアで実装され得る。
【００７６】
図６は、いくつかの実施形態による仮想化環境を示す。
【００７７】
図６は、いくつかの実施形態によって実装される機能が仮想化され得る、仮想化環境６００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【００７８】
いくつかの実施形態では、本明細書で説明される機能の一部または全部は、ハードウェアノード６３０のうちの１つまたは複数によってホストされる１つまたは複数の仮想環境６００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【００７９】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション６２０によって実装され得る。アプリケーション６２０は、処理回路６６０とメモリ６９０−１とを備えるハードウェア６３０を提供する、仮想化環境６００において稼働される。メモリ６９０−１は、処理回路６６０によって実行可能な命令６９５を含んでおり、それにより、アプリケーション６２０は、本明細書で開示される特徴、利益、および／または機能のうちの１つまたは複数を提供するように動作可能である。
【００８０】
仮想化環境６００は、１つまたは複数のプロセッサのセットまたは処理回路６６０を備える、汎用または専用のネットワークハードウェアデバイス６３０を備え、１つまたは複数のプロセッサのセットまたは処理回路要素６６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路であり得る。各ハードウェアデバイスはメモリ６９０−１を備え得、メモリ６９０−１は、処理回路６６０によって実行される命令６９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）６７０を備え得、ネットワークインターフェースコントローラ（ＮＩＣ）６７０は物理ネットワークインターフェース６８０を含む。各ハードウェアデバイスは、処理回路６６０によって実行可能なソフトウェア６９５および／または命令を記憶した、非一時的、永続的、機械可読記憶媒体６９０−２をも含み得る。ソフトウェア６９５は、１つまたは複数の（ハイパーバイザとも呼ばれる）仮想化レイヤ６５０をインスタンス化するためのソフトウェア、仮想マシン６４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【００８１】
仮想マシン６４０は、仮想処理、仮想メモリ、仮想ネットワーキングまたはインターフェース、および仮想記憶域を備え、対応する仮想化レイヤ６５０またはハイパーバイザによって稼働され得る。仮想アプライアンス６２０の事例の異なる実施形態が、仮想マシン６４０のうちの１つまたは複数上で実装され得、実装は異なるやり方で行われ得る。
【００８２】
動作中に、処理回路６６０は、ソフトウェア６９５を実行してハイパーバイザまたは仮想化レイヤ６５０をインスタンス化し、ハイパーバイザまたは仮想化レイヤ６５０は、時々、仮想マシンモニタ（ＶＭＭ）と呼ばれることがある。仮想化レイヤ６５０は、仮想マシン６４０に、ネットワーキングハードウェアのように見える仮想動作プラットフォームを提示し得る。
【００８３】
図６に示されているように、ハードウェア６３０は、一般的なまたは特定の構成要素をもつスタンドアロンネットワークノードであり得る。ハードウェア６３０は、アンテナ６２２５を備え得、仮想化を介していくつかの機能を実装し得る。代替的に、ハードウェア６３０は、多くのハードウェアノードが協働し、特に、アプリケーション６２０のライフサイクル管理を監督する、管理およびオーケストレーション（ＭＡＮＯ）６１００を介して管理される、（たとえば、データセンタまたは顧客構内機器（ＣＰＥ）の場合のような）ハードウェアのより大きいクラスタの一部であり得る。
【００８４】
ハードウェアの仮想化は、いくつかのコンテキストにおいて、ネットワーク機能仮想化（ＮＦＶ）と呼ばれる。ＮＦＶは、多くのネットワーク機器タイプを、データセンタおよび顧客構内機器中に位置し得る、業界標準高ボリュームサーバハードウェア、物理スイッチ、および物理記憶域上にコンソリデートするために使用され得る。
【００８５】
ＮＦＶのコンテキストでは、仮想マシン６４０は、プログラムを、それらのプログラムが、物理的な仮想化されていないマシン上で実行しているかのように稼働する、物理マシンのソフトウェア実装形態であり得る。仮想マシン６４０の各々と、その仮想マシンに専用のハードウェアであろうと、および／またはその仮想マシンによって仮想マシン６４０のうちの他の仮想マシンと共有されるハードウェアであろうと、その仮想マシンを実行するハードウェア６３０のその一部とは、別個の仮想ネットワークエレメント（ＶＮＥ）を形成する。
【００８６】
さらにＮＦＶのコンテキストにおいて、仮想ネットワーク機能（ＶＮＦ）は、ハードウェアネットワーキングインフラストラクチャ６３０の上の１つまたは複数の仮想マシン６４０において稼働する特定のネットワーク機能をハンドリングすることを担当し、図６中のアプリケーション６２０に対応する。
【００８７】
いくつかの実施形態では、各々、１つまたは複数の送信機６２２０と１つまたは複数の受信機６２１０とを含む、１つまたは複数の無線ユニット６２００は、１つまたは複数のアンテナ６２２５に結合され得る。無線ユニット６２００は、１つまたは複数の適切なネットワークインターフェースを介してハードウェアノード６３０と直接通信し得、無線アクセスノードまたは基地局など、無線能力をもつ仮想ノードを提供するために仮想構成要素と組み合わせて使用され得る。
【００８８】
いくつかの実施形態では、何らかのシグナリングが、ハードウェアノード６３０と無線ユニット６２００との間の通信のために代替的に使用され得る制御システム６２３０を使用して、実現され得る。
【００８９】
図７は、いくつかの実施形態による、中間ネットワークを介してホストコンピュータに接続された通信ネットワークを示す。
【００９０】
図７を参照すると、一実施形態によれば、通信システムが、無線アクセスネットワークなどのアクセスネットワーク７１１とコアネットワーク７１４とを備える、３ＧＰＰタイプセルラーネットワークなどの通信ネットワーク７１０を含む。アクセスネットワーク７１１は、ＮＢ、ｅＮＢ、ｇＮＢまたは他のタイプの無線アクセスポイントなど、複数の基地局７１２ａ、７１２ｂ、７１２ｃを備え、各々が、対応するカバレッジエリア７１３ａ、７１３ｂ、７１３ｃを規定する。基地局７１２ａ、７１２ｂ、７１２ｃは、図２に示されているようにｇＮＢを備え得ることが諒解されよう。言い換えれば、各基地局は、ユーザプレーンデータ処理装置と制御プレーンデータ処理装置とを備え得る。各基地局７１２ａ、７１２ｂ、７１２ｃは、有線接続または無線接続７１５上でコアネットワーク７１４に接続可能である。カバレッジエリア７１３ｃ中に位置する第１のＵＥ７９１が、対応する基地局７１２ｃに無線で接続するか、または対応する基地局７１２ｃによってページングされるように設定される。カバレッジエリア７１３ａ中の第２のＵＥ７９２が、対応する基地局７１２ａに無線で接続可能である。この例では複数のＵＥ７９１、７９２が示されているが、開示される実施形態は、唯一のＵＥがカバレッジエリア中にある状況、または唯一のＵＥが対応する基地局７１２に接続している状況に等しく適用可能である。
【００９１】
通信ネットワーク７１０は、それ自体、ホストコンピュータ７３０に接続され、ホストコンピュータ７３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ７３０は、サービスプロバイダの所有または制御下にあり得、あるいはサービスプロバイダによってまたはサービスプロバイダに代わって動作され得る。通信ネットワーク７１０とホストコンピュータ７３０との間の接続７２１および７２２は、コアネットワーク７１４からホストコンピュータ７３０に直接延び得るか、または随意の中間ネットワーク７２０を介して進み得る。中間ネットワーク７２０は、パブリックネットワーク、プライベートネットワーク、またはホストされたネットワークのうちの１つ、またはそれらのうちの２つ以上の組合せであり得、中間ネットワーク７２０は、もしあれば、バックボーンネットワークまたはインターネットであり得、特に、中間ネットワーク７２０は、２つまたはそれ以上のサブネットワーク（図示せず）を備え得る。
【００９２】
図７の通信システムは全体として、接続されたＵＥ７９１、７９２とホストコンピュータ７３０との間のコネクティビティを可能にする。コネクティビティは、オーバーザトップ（ＯＴＴ）接続７５０として説明され得る。ホストコンピュータ７３０および接続されたＵＥ７９１、７９２は、アクセスネットワーク７１１、コアネットワーク７１４、任意の中間ネットワーク７２０、および考えられるさらなるインフラストラクチャ（図示せず）を媒介として使用して、ＯＴＴ接続７５０を介して、データおよび／またはシグナリングを通信するように設定される。ＯＴＴ接続７５０は、ＯＴＴ接続７５０が通過する、参加する通信デバイスが、アップリンクおよびダウンリンク通信のルーティングに気づいていないという意味で、透過的であり得る。たとえば、基地局７１２は、接続されたＵＥ７９１にフォワーディング（たとえば、ハンドオーバ）されるべき、ホストコンピュータ７３０から発生したデータを伴う着信ダウンリンク通信の過去のルーティングについて、通知されないことがあるかまたは通知される必要がない。同様に、基地局７１２は、ＵＥ７９１から発生してホストコンピュータ７３０に向かう発信アップリンク通信の将来のルーティングに気づいている必要がない。
【００９３】
図８は、いくつかの実施形態による、部分的無線接続上で基地局を介してユーザ機器と通信するホストコンピュータを示す。
【００９４】
次に、一実施形態による、前の段落において説明されたＵＥ、基地局およびホストコンピュータの例示的な実装形態が、図８を参照しながら説明される。通信システム８００では、ホストコンピュータ８１０が、通信システム８００の異なる通信デバイスのインターフェースとの有線接続または無線接続をセットアップおよび維持するように設定された通信インターフェース８１６を含む、ハードウェア８１５を備える。ホストコンピュータ８１０は、記憶能力および／または処理能力を有し得る、処理回路８１８をさらに備える。特に、処理回路８１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ８１０は、ホストコンピュータ８１０に記憶されるかまたはホストコンピュータ８１０によってアクセス可能であり、処理回路８１８によって実行可能である、ソフトウェア８１１をさらに備える。ソフトウェア８１１は、ホストアプリケーション８１２を含む。ホストアプリケーション８１２は、ＵＥ８３０およびホストコンピュータ８１０において終端するＯＴＴ接続８５０を介して接続するＵＥ８３０など、リモートユーザにサービスを提供するように動作可能であり得る。リモートユーザにサービスを提供する際に、ホストアプリケーション８１２は、ＯＴＴ接続８５０を使用して送信されるユーザデータを提供し得る。
【００９５】
通信システム８００は、通信システム中に提供される基地局８２０をさらに含み、基地局８２０は、基地局８２０がホストコンピュータ８１０およびＵＥ８３０と通信することを可能にするハードウェア８２５を備える。ハードウェア８２５は、通信システム８００の異なる通信デバイスのインターフェースとの有線接続または無線接続をセットアップおよび維持するための通信インターフェース８２６、ならびに基地局８２０によってサーブされるカバレッジエリア（図８に図示せず）中に位置するＵＥ８３０との少なくとも無線接続８７０をセットアップおよび維持するための無線インターフェース８２７を含み得る。通信インターフェース８２６は、ホストコンピュータ８１０への接続８６０を容易にするように設定され得る。接続８６０は直接であり得るか、あるいは、接続８６０は、通信システムのコアネットワーク（図８に図示せず）を、および／または通信システムの外部の１つまたは複数の中間ネットワークを通過し得る。図示の実施形態では、基地局８２０のハードウェア８２５は、処理回路８２８をさらに含み、処理回路８２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局８２０は、内部的に記憶されるかまたは外部接続を介してアクセス可能なソフトウェア８２１をさらに有する。
【００９６】
通信システム８００は、すでに言及されたＵＥ８３０をさらに含む。ＵＥ８３０のハードウェア８３５は、ＵＥ８３０が現在位置するカバレッジエリアをサーブする基地局との無線接続８７０をセットアップおよび維持するように設定された、無線インターフェース８３７を含み得る。ＵＥ８３０のハードウェア８３５は、処理回路８３８をさらに含み、処理回路８３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ８３０は、ＵＥ８３０に記憶されるかまたはＵＥ８３０によってアクセス可能であり、処理回路８３８によって実行可能である、ソフトウェア８３１をさらに備える。ソフトウェア８３１はクライアントアプリケーション８３２を含む。クライアントアプリケーション８３２は、ホストコンピュータ８１０のサポートのもとに、ＵＥ８３０を介して人間のまたは人間でないユーザにサービスを提供するように動作可能であり得る。ホストコンピュータ８１０では、実行しているホストアプリケーション８１２は、ＵＥ８３０およびホストコンピュータ８１０において終端するＯＴＴ接続８５０を介して、実行しているクライアントアプリケーション８３２と通信し得る。ユーザにサービスを提供する際に、クライアントアプリケーション８３２は、ホストアプリケーション８１２から要求データを受信し、要求データに応答してユーザデータを提供し得る。ＯＴＴ接続８５０は、要求データとユーザデータの両方を転送し得る。クライアントアプリケーション８３２は、クライアントアプリケーション８３２が提供するユーザデータを生成するためにユーザと対話し得る。
【００９７】
図８に示されているホストコンピュータ８１０、基地局８２０およびＵＥ８３０は、それぞれ、図７のホストコンピュータ７３０、基地局７１２ａ、７１２ｂ、７１２ｃのうちの１つ、およびＵＥ７９１、７９２のうちの１つと同様または同等であり得ることに留意されたい。つまり、これらのエンティティの内部の働きは、図８に示されているようなものであり得、別個に、周囲のネットワークトポロジーは、図７のものであり得る。
【００９８】
図８では、ＯＴＴ接続８５０は、仲介デバイスとこれらのデバイスを介したメッセージの正確なルーティングとへの明示的言及なしに、基地局８２０を介したホストコンピュータ８１０とＵＥ８３０との間の通信を示すために抽象的に描かれている。ネットワークインフラストラクチャが、ルーティングを決定し得、ネットワークインフラストラクチャは、ＵＥ８３０からまたはホストコンピュータ８１０を動作させるサービスプロバイダから、またはその両方からルーティングを隠すように設定され得る。ＯＴＴ接続８５０がアクティブである間、ネットワークインフラストラクチャは、さらに、ネットワークインフラストラクチャが（たとえば、ネットワークの負荷分散考慮または再設定に基づいて）ルーティングを動的に変更する判断を行い得る。
【００９９】
ＵＥ８３０と基地局８２０との間の無線接続８７０は、本開示全体にわたって説明される実施形態の教示に従う。様々な実施形態のうちの１つまたは複数は、無線接続８７０が最後のセグメントを形成するＯＴＴ接続８５０を使用して、ＵＥ８３０に提供されるＯＴＴサービスの性能を改善する。
【０１００】
１つまたは複数の実施形態が改善する、データレート、レイテンシおよび他のファクタを監視する目的での、測定プロシージャが提供され得る。測定結果の変動に応答して、ホストコンピュータ８１０とＵＥ８３０との間のＯＴＴ接続８５０を再設定するための随意のネットワーク機能がさらにあり得る。測定プロシージャおよび／またはＯＴＴ接続８５０を再設定するためのネットワーク機能は、ホストコンピュータ８１０のソフトウェア８１１およびハードウェア８１５でまたはＵＥ８３０のソフトウェア８３１およびハードウェア８３５で、またはその両方で実装され得る。実施形態では、ＯＴＴ接続８５０が通過する通信デバイスにおいてまたはそれに関連して、センサー（図示せず）が展開され得、センサーは、上記で例示された監視された量の値を供給すること、またはソフトウェア８１１、８３１が監視された量を算出または推定し得る他の物理量の値を供給することによって、測定プロシージャに参加し得る。ＯＴＴ接続８５０の再設定は、メッセージフォーマット、再送信セッティング、好ましいルーティングなどを含み得、再設定は、基地局８２０に影響を及ぼす必要がなく、再設定は、基地局８２０に知られていないかまたは知覚不可能であり得る。そのようなプロシージャおよび機能は、当技術分野において知られ、実施され得る。いくつかの実施形態では、測定は、スループット、伝搬時間、レイテンシなどのホストコンピュータ８１０の測定を容易にするプロプライエタリＵＥシグナリングを伴い得る。測定は、ソフトウェア８１１および８３１が、ソフトウェア８１１および８３１が伝搬時間、エラーなどを監視する間にＯＴＴ接続８５０を使用して、メッセージ、特に空のまたは「ダミー」メッセージが送信されることを引き起こすことにおいて、実装され得る。
【０１０１】
図９は、いくつかの実施形態による、ホストコンピュータと、基地局と、ユーザ機器とを含む通信システムにおいて実装される方法を示す。
【０１０２】
図９は、一実施形態による、通信システムにおいて実装される方法を示すフローチャートである。通信システムは、図７および図８を参照しながら説明されたものであり得る、ホストコンピュータと基地局とＵＥとを含む。本開示の簡単のために、図９への図面参照のみがこのセクションに含まれる。ステップ９１０において、ホストコンピュータはユーザデータを提供する。ステップ９１０の（随意であり得る）サブステップ９１１において、ホストコンピュータは、ホストアプリケーションを実行することによって、ユーザデータを提供する。ステップ９２０において、ホストコンピュータは、ＵＥにユーザデータを搬送する送信を始動する。（随意であり得る）ステップ９３０において、基地局は、本開示全体にわたって説明される実施形態の教示に従って、ホストコンピュータが始動した送信において搬送されたユーザデータをＵＥに送信する。（また、随意であり得る）ステップ９４０において、ＵＥは、ホストコンピュータによって実行されるホストアプリケーションに関連するクライアントアプリケーションを実行する。
【０１０３】
図１０は、いくつかの実施形態による、ホストコンピュータと、基地局と、ユーザ機器とを含む通信システムにおいて実装される方法を示す。
【０１０４】
図１０は、一実施形態による、通信システムにおいて実装される方法を示すフローチャートである。通信システムは、図７および図８を参照しながら説明されたものであり得る、ホストコンピュータと基地局とＵＥとを含む。本開示の簡単のために、図１０への図面参照のみがこのセクションに含まれる。方法のステップ１０１０において、ホストコンピュータはユーザデータを提供する。随意のサブステップ（図示せず）において、ホストコンピュータは、ホストアプリケーションを実行することによって、ユーザデータを提供する。ステップ１０２０において、ホストコンピュータは、ＵＥにユーザデータを搬送する送信を始動する。送信は、本開示全体にわたって説明される実施形態の教示に従って、基地局を介して進み得る。（随意であり得る）ステップ１０３０において、ＵＥは、送信において搬送されたユーザデータを受信する。
【０１０５】
図１１は、いくつかの実施形態による、ホストコンピュータと、基地局と、ユーザ機器とを含む通信システムにおいて実装される方法を示す。
【０１０６】
図１１は、一実施形態による、通信システムにおいて実装される方法を示すフローチャートである。通信システムは、図７および図８を参照しながら説明されたものであり得る、ホストコンピュータと基地局とＵＥとを含む。本開示の簡単のために、図１１への図面参照のみがこのセクションに含まれる。（随意であり得る）ステップ１１１０において、ＵＥは、ホストコンピュータによって提供された入力データを受信する。追加または代替として、ステップ１１２０において、ＵＥはユーザデータを提供する。ステップ１１２０の（随意であり得る）サブステップ１１２１において、ＵＥは、クライアントアプリケーションを実行することによって、ユーザデータを提供する。ステップ１１１０の（随意であり得る）サブステップ１１１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ１１３０において、ホストコンピュータへのユーザデータの送信を始動する。方法のステップ１１４０において、ホストコンピュータは、本開示全体にわたって説明される実施形態の教示に従って、ＵＥから送信されたユーザデータを受信する。
【０１０７】
図１２は、いくつかの実施形態による、ホストコンピュータと、基地局と、ユーザ機器とを含む通信システムにおいて実装される方法を示す。
【０１０８】
図１２は、一実施形態による、通信システムにおいて実装される方法を示すフローチャートである。通信システムは、図７および図８を参照しながら説明されたものであり得る、ホストコンピュータと基地局とＵＥとを含む。本開示の簡単のために、図１２への図面参照のみがこのセクションに含まれる。（随意であり得る）ステップ１２１０において、本開示全体にわたって説明される実施形態の教示に従って、基地局は、ＵＥからユーザデータを受信する。（随意であり得る）ステップ１２２０において、基地局は、ホストコンピュータへの、受信されたユーザデータの送信を始動する。（随意であり得る）ステップ１２３０において、ホストコンピュータは、基地局によって始動された送信において搬送されたユーザデータを受信する。
【０１０９】
図１３は、いくつかの実施形態による方法を示す。
【０１１０】
図１３は、特定の実施形態による、ユーザ機器（ＵＥ）と基地局分散型ユニット（ＤＵ）との間の無線リンク制御再確立をパケットデータコンバージェンスプロトコル（ＰＤＣＰ）データ回復と同期させるための、制御プレーン（ＣＰ）データ処理装置によって実施される方法を図示し、方法は、ステップ１３０２において始まり、制御プレーンデータ処理装置が、アップリンクおよび／またはダウンリンク停止が基地局ＤＵとＵＥとの間で発生したという指示を取得する。ステップ１３０４において、制御プレーンデータ処理装置は、ＵＥによって確認応答されなかった、ＵＥに前に送信されたデータプロトコルユニットを再送信するように、ユーザプレーン（ＵＰ）データ処理装置に命令する要求をＵＰデータ処理装置に送信する。
【０１１１】
図１４は、いくつかの実施形態による仮想化装置を示す。
【０１１２】
図１４は、無線ネットワーク（たとえば、図４に示されている無線ネットワーク）における装置１４００の概略ブロック図を示す。装置は、無線デバイスまたはネットワークノード（たとえば、図４に示されている無線デバイス４１０またはネットワークノード４６０）において実装され得る。装置１４００は、図１３に関して説明された例示的な方法、および、場合によっては、本明細書で開示される任意の他のプロセスまたは方法を行うように動作可能である。また、図１３の方法は、必ずしも装置１４００のみによって行われるとは限らないことを理解されたい。その方法の少なくともいくつかの動作は、１つまたは複数の他のエンティティによって実施され得る。
【０１１３】
仮想装置１４００は、１つまたは複数のマイクロプロセッサまたはマイクロコントローラを含み得る、処理回路、ならびに、デジタル信号プロセッサ（ＤＳＰ）、専用デジタル論理などを含み得る、他のデジタルハードウェアを備え得る。処理回路は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路は、取得ユニット１４０２および送信ユニット１４０４、ならびに装置１４００の任意の他の好適なユニットに、本開示の１つまたは複数の実施形態による、対応する機能を実施させるために使用され得る。
【０１１４】
図１４に示されているように、装置１４００は、取得ユニット１４０２と送信ユニット１４０４とを含み、取得ユニット１４０２は、アップリンクおよび／またはダウンリンク停止が基地局ＤＵとＵＥとの間で発生したという指示を取得するように設定される。送信ユニット１４０４は、ＵＥによって確認応答されなかった、ＵＥに前に送信されたデータプロトコルユニットを再送信するように、ユーザプレーン（ＵＰ）データ処理装置に命令する要求をＵＰデータ処理装置に送信するように設定される。
【０１１５】
図１５は、いくつかの実施形態による方法を示す。
【０１１６】
図１５は、特定の実施形態による、ユーザ機器（ＵＥ）と基地局分散型ユニット（ＤＵ）との間の無線リンク制御（ＲＬＣ）再確立をパケットデータコンバージェンスプロトコル（ＰＤＣＰ）データ回復と同期させるための、ユーザプレーン（ＵＰ）データ処理装置によって実施される方法を図示し、方法は、ステップ１５０２において始まり、ユーザプレーンデータ処理装置が、制御プレーン（ＣＰ）データ処理装置から、ＵＥによって確認応答されなかった、ＵＥに前に送信されたデータプロトコルユニットを再送信する要求を受信する。ステップ１５０４において、ユーザプレーンデータ処理装置は、要求を受信したことに応答して、ＵＥによって確認応答されなかった、ＵＥに前に送信されたデータプロトコルユニットをＵＥに再送信する。
【０１１７】
図１６は、いくつかの実施形態による仮想化装置を示す。
【０１１８】
図１６は、無線ネットワーク（たとえば、図４に示されている無線ネットワーク）における装置１６００の概略ブロック図を示す。装置は、無線デバイスまたはネットワークノード（たとえば、図４に示されている無線デバイス４１０またはネットワークノード４６０）において実装され得る。装置１６００は、図１５に関して説明された例示的な方法、および、場合によっては、本明細書で開示される任意の他のプロセスまたは方法を行うように動作可能である。また、図１５の方法は、必ずしも装置１６００のみによって行われるとは限らないことを理解されたい。その方法の少なくともいくつかの動作は、１つまたは複数の他のエンティティによって実施され得る。
【０１１９】
仮想装置１６００は、１つまたは複数のマイクロプロセッサまたはマイクロコントローラを含み得る、処理回路、ならびに、デジタル信号プロセッサ（ＤＳＰ）、専用デジタル論理などを含み得る、他のデジタルハードウェアを備え得る。処理回路は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路は、受信ユニット１６０２および送信ユニット１６０４、ならびに装置１６００の任意の他の好適なユニットに、本開示の１つまたは複数の実施形態による、対応する機能を実施させるために使用され得る。
【０１２０】
図１６に示されているように、装置１６００は、受信ユニット１６０２と送信ユニット１６０４とを含み、受信ユニット１６０２は、制御プレーン（ＣＰ）データ処理装置から、ＵＥによって確認応答されなかった、ＵＥに前に送信されたデータプロトコルユニットを再送信する要求を受信するように設定される。送信ユニット１６０４は、要求を受信したことに応答して、ＵＥによって確認応答されなかった、ＵＥに前に送信されたデータプロトコルユニットをＵＥに再送信するように設定される。
【０１２１】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路、デバイス、モジュール、プロセッサ、メモリ、論理固体および／または個別デバイス、コンピュータプログラムまたは命令などを含み得る。
【０１２２】
実施形態
グループＡの実施形態
１．  ユーザ機器（ＵＥ）と基地局分散型ユニット（ＤＵ）との間の無線リンク制御再確立をパケットデータコンバージェンスプロトコル（ＰＤＣＰ）データ回復と同期させるための、制御プレーン（ＣＰ）データ処理装置によって実施される方法であって、方法は、
ａ．  アップリンクおよび／またはダウンリンク停止が基地局ＤＵとＵＥとの間で発生したという指示を取得することと、
ｂ．  ＵＥによって確認応答されなかった、ＵＥに前に送信されたデータプロトコルユニットを再送信するように、ユーザプレーン（ＵＰ）データ処理装置に命令する要求をＵＰデータ処理装置に送信することと
を含む、方法。
２．  取得するステップが、
ａ．  基地局ＤＵから指示を受信すること
を含む、実施形態１に記載の方法。
３．  ＣＰデータ処理装置が基地局ＤＵとコロケートされる、実施形態１に記載の方法。
４．  指示がＵＥコンテキスト修正必要メッセージを備える、実施形態１から３のいずれか１つに記載の方法。
５．  指示を取得したことに応答して、無線リソース制御（ＲＲＣ）再設定メッセージを生成することと、ＵＥにＲＲＣ再設定メッセージを送信することとをさらに含む、実施形態１から４のいずれか１つに記載の方法。
６．  要求は、ＰＤＣＰデータ回復が要求されることを指示するＰＤＣＰデータ回復情報エレメント（ＩＥ）を備える、ベアラコンテキスト修正要求を備える、実施形態１から５のいずれか１つに記載の方法。
７．
−  ユーザデータを提供することと、
−  基地局への送信を介してホストコンピュータにユーザデータをフォワーディングすることと
をさらに含む、実施形態１から６のいずれか１つに記載の方法。
８．  ユーザ機器（ＵＥ）と基地局分散型ユニット（ＤＵ）との間の無線リンク制御（ＲＬＣ）再確立をパケットデータコンバージェンスプロトコル（ＰＤＣＰ）データ回復と同期させるための、ユーザプレーン（ＵＰ）データ処理装置によって実施される方法であって、方法は、
ａ．  制御プレーン（ＣＰ）データ処理装置から、ＵＥによって確認応答されなかった、ＵＥに前に送信されたデータプロトコルユニットを再送信するための要求を受信することと、
ｂ．  要求を受信したことに応答して、ＵＥによって確認応答されなかった、ＵＥに前に送信されたデータプロトコルユニットをＵＥに再送信することと
を含む、方法。
９．  ＣＰデータ処理装置が基地局ＤＵとコロケートされる、実施形態８に記載の方法。
１０．  要求は、ＰＤＣＰデータ回復が要求されることを指示するＰＤＣＰデータ回復情報エレメント（ＩＥ）を備える、ベアラコンテキスト修正要求を備える、実施形態８または９に記載の方法。
１１．
−  ユーザデータを提供することと、
−  基地局への送信を介してホストコンピュータにユーザデータをフォワーディングすることと
をさらに含む、実施形態８から１０のいずれか１つに記載の方法。
【０１２３】
グループＣの実施形態
１２．  ユーザ機器（ＵＥ）と基地局分散型ユニット（ＤＵ）との間の無線リンク制御再確立をパケットデータコンバージェンスプロトコル（ＰＤＣＰ）データ回復と同期させるための基地局であって、基地局は、
−  グループＡの実施形態のいずれか１つに記載のステップのいずれかを実施するように設定された処理回路と、
−  基地局に電力を供給するように設定された電力供給回路と
を備える、基地局。
１３．
−  ユーザデータを提供するように設定された処理回路と、
−  ユーザ機器（ＵＥ）への送信のためにユーザデータをセルラーネットワークにフォワーディングするように設定された通信インターフェースと
を備えるホストコンピュータを含む通信システムであって、
−  セルラーネットワークが、無線インターフェースと処理回路とを有する基地局を備え、基地局の処理回路が、グループＡの実施形態のいずれか１つに記載のステップのいずれかを実施するように設定された、
通信システム。
１４．  基地局をさらに含む、実施形態１３に記載の通信システム。
１５．  ＵＥをさらに含み、ＵＥが基地局と通信するように設定された、実施形態１３または１４に記載の通信システム。
１６．
−  ホストコンピュータの処理回路が、ホストアプリケーションを実行し、それによりユーザデータを提供するように設定され、
−  ＵＥが、ホストアプリケーションに関連付けられたクライアントアプリケーションを実行するように設定された処理回路を備える、
実施形態１３から１５のいずれか１つに記載の通信システム。
１７．  ホストコンピュータと、基地局と、ユーザ機器（ＵＥ）とを含む通信システムにおいて実装される方法であって、方法は、
−  ホストコンピュータにおいて、ユーザデータを提供することと、
−  ホストコンピュータにおいて、基地局を備えるセルラーネットワークを介してＵＥにユーザデータを搬送する送信を始動することであって、基地局が、グループＡの実施形態のいずれか１つに記載のステップのいずれかを実施する、送信を始動することと
を含む、方法。
１８．  基地局においてユーザデータを送信することをさらに含む、実施形態１７に記載の方法。
１９．  ユーザデータが、ホストコンピュータにおいて、ホストアプリケーションを実行することによって提供され、方法が、ＵＥにおいて、ホストアプリケーションに関連付けられたクライアントアプリケーションを実行することをさらに含む、実施形態１７または１８に記載の方法。
２０．  基地局と通信するように設定されたユーザ機器（ＵＥ）であって、ＵＥが、実施形態１７から１９のいずれか１つを実施するように設定された、無線インターフェースと処理回路とを備える、ユーザ機器（ＵＥ）。
２１．  ホストコンピュータを含む通信システムであって、ホストコンピュータが、ユーザ機器（ＵＥ）から基地局への送信から発生したユーザデータを受信するように設定された通信インターフェースを備え、基地局が、無線インターフェースと処理回路とを備え、基地局の処理回路が、グループＡの実施形態のいずれか１つに記載のステップのいずれかを実施するように設定された、通信システム。
２２．  基地局をさらに含む、実施形態２１に記載の通信システム。
２３．  ＵＥをさらに含み、ＵＥが基地局と通信するように設定された、実施形態２１または２２に記載の通信システム。
２４．
−  ホストコンピュータの処理回路が、ホストアプリケーションを実行するように設定され、
−  ＵＥが、ホストアプリケーションに関連付けられたクライアントアプリケーションを実行し、それによりホストコンピュータによって受信されるべきユーザデータを提供するように設定された、
実施形態２１から２３のいずれか１つに記載の通信システム。
【０１２４】
略語
以下の略語のうちの少なくともいくつかが本開示で使用され得る。略語間の不整合がある場合、その略語が上記でどのように使用されるかが選好されるべきである。以下で複数回リストされる場合、最初のリスティングが（１つまたは複数の）後続のリスティングよりも選好されるべきである。
ＣＵ  中央ユニット
ＤＵ  非集中型ユニット
ＮＧＣ  新世代コア
ＮＲ  新世代無線
ＰＤＣＰ  パケットデータコンバージェンスプロトコル
ＵＥ  ユーザ機器
ＵＰＦ  ユーザプレーン機能
ＡＭＦ  アクセスおよびモビリティ機能
１ｘ  ＲＴＴ  ＣＤＭＡ２０００  １ｘ無線送信技術
３ＧＰＰ  第３世代パートナーシッププロジェクト
５Ｇ  第５世代
ＡＢＳ  オールモストブランクサブフレーム
ＡＲＱ  自動再送要求
ＡＷＧＮ  加法性白色ガウス雑音
ＢＣＣＨ  ブロードキャスト制御チャネル
ＢＣＨ  ブロードキャストチャネル
ＣＡ  キャリアアグリゲーション
ＣＣ  キャリアコンポーネント
ＣＣＣＨ  ＳＤＵ  共通制御チャネルＳＤＵ
ＣＤＭＡ  符号分割多重化アクセス
ＣＧＩ  セルグローバル識別子
ＣＩＲ  チャネルインパルス応答
ＣＰ  サイクリックプレフィックス
ＣＰＩＣＨ  共通パイロットチャネル
ＣＰＩＣＨ  Ｅｃ／Ｎｏ  帯域中の電力密度で除算されたチップごとのＣＰＩＣＨ受信エネルギー
ＣＱＩ  チャネル品質情報
Ｃ−ＲＮＴＩ  セルＲＮＴＩ
ＣＳＩ  チャネル状態情報
ＤＣＣＨ  専用制御チャネル
ＤＬ  ダウンリンク
ＤＭ  復調
ＤＭＲＳ  復調用参照信号
ＤＲＸ  間欠受信
ＤＴＸ  間欠送信
ＤＴＣＨ  専用トラフィックチャネル
ＤＵＴ  被試験デバイス
Ｅ−ＣＩＤ  拡張セルＩＤ（測位方法）
Ｅ−ＳＭＬＣ  エボルブドサービングモバイルロケーションセンタ
ＥＣＧＩ  エボルブドＣＧＩ
ｅＮＢ  Ｅ−ＵＴＲＡＮノードＢ
ｅＰＤＣＣＨ  拡張物理ダウンリンク制御チャネル
Ｅ−ＳＭＬＣ  エボルブドサービングモバイルロケーションセンタ
Ｅ−ＵＴＲＡ  エボルブドＵＴＲＡ
Ｅ−ＵＴＲＡＮ  エボルブドＵＴＲＡＮ
ＦＤＤ  周波数分割複信
ＦＦＳ  さらなる検討が必要
ＧＥＲＡＮ  ＧＳＭ  ＥＤＧＥ無線アクセスネットワーク
ｇＮＢ  ＮＲにおける基地局
ＧＮＳＳ  グローバルナビゲーション衛星システム
ＧＳＭ  モバイル通信用グローバルシステム
ＨＡＲＱ  ハイブリッド自動再送要求
ＨＯ  ハンドオーバ
ＨＳＰＡ  高速パケットアクセス
ＨＲＰＤ  高速パケットデータ
ＬＯＳ  見通し線
ＬＰＰ  ＬＴＥ測位プロトコル
ＬＴＥ  Ｌｏｎｇ−Ｔｅｒｍ  Ｅｖｏｌｕｔｉｏｎ
ＭＡＣ  媒体アクセス制御
ＭＢＭＳ  マルチメディアブロードキャストマルチキャストサービス
ＭＢＳＦＮ  マルチメディアブロードキャストマルチキャストサービス単一周波数ネットワーク
ＭＢＳＦＮ  ＡＢＳ  ＭＢＳＦＮオールモストブランクサブフレーム
ＭＤＴ  ドライブテスト最小化
ＭＩＢ  マスタ情報ブロック
ＭＭＥ  モビリティ管理エンティティ
ＭＳＣ  モバイルスイッチングセンタ
ＮＰＤＣＣＨ  狭帯域物理ダウンリンク制御チャネル
ＮＲ  新無線
ＯＣＮＧ  ＯＦＤＭＡチャネル雑音生成器
ＯＦＤＭ  直交周波数分割多重
ＯＦＤＭＡ  直交周波数分割多元接続
ＯＳＳ  運用サポートシステム
ＯＴＤＯＡ  観測到達時間差
Ｏ＆Ｍ  運用保守
ＰＢＣＨ  物理ブロードキャストチャネル
Ｐ−ＣＣＰＣＨ  １次共通制御物理チャネル
ＰＣｅｌｌ  １次セル
ＰＣＦＩＣＨ  物理制御フォーマットインジケータチャネル
ＰＤＣＣＨ  物理ダウンリンク制御チャネル
ＰＤＰ  プロファイル遅延プロファイル
ＰＤＳＣＨ  物理ダウンリンク共有チャネル
ＰＧＷ  パケットゲートウェイ
ＰＨＩＣＨ  物理ハイブリッド自動再送要求指示チャネル
ＰＬＭＮ  パブリックランドモバイルネットワーク
ＰＭＩ  プリコーダ行列インジケータ
ＰＲＡＣＨ  物理ランダムアクセスチャネル
ＰＲＳ  測位参照信号
ＰＳＳ  １次同期信号
ＰＵＣＣＨ  物理アップリンク制御チャネル
ＰＵＳＣＨ  物理アップリンク共有チャネル
ＲＡＣＨ  ランダムアクセスチャネル
ＱＡＭ  直交振幅変調
ＲＡＮ  無線アクセスネットワーク
ＲＡＴ  無線アクセス技術
ＲＬＭ  無線リンク管理
ＲＮＣ  無線ネットワークコントローラ
ＲＮＴＩ  無線ネットワーク一時識別子
ＲＲＣ  無線リソース制御
ＲＲＭ  無線リソース管理
ＲＳ  参照信号
ＲＳＣＰ  受信信号コード電力
ＲＳＲＰ  参照シンボル受信電力または
参照信号受信電力
ＲＳＲＱ  参照信号受信品質または
参照シンボル受信品質
ＲＳＳＩ  受信信号強度インジケータ
ＲＳＴＤ  参照信号時間差
ＳＣＨ  同期チャネル
ＳＣｅｌｌ  ２次セル
ＳＤＵ  サービスデータユニット
ＳＦＮ  システムフレーム番号
ＳＧＷ  サービングゲートウェイ
ＳＩ  システム情報
ＳＩＢ  システム情報ブロック
ＳＮＲ  信号対雑音比
ＳＯＮ  自己最適化ネットワーク
ＳＳ  同期信号
ＳＳＳ  ２次同期信号
ＴＤＤ  時分割複信
ＴＤＯＡ  到達時間差
ＴＯＡ  到達時間
ＴＳＳ  ３次同期信号
ＴＴＩ  送信時間間隔
ＵＥ  ユーザ機器
ＵＬ  アップリンク
ＵＭＴＳ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
ＵＳＩＭ  ユニバーサル加入者識別モジュール
ＵＴＤＯＡ  アップリンク到達時間差
ＵＴＲＡ  ユニバーサル地上無線アクセス
ＵＴＲＡＮ  ユニバーサル地上無線アクセスネットワーク
ＷＣＤＭＡ  ワイドＣＤＭＡ
ＷＬＡＮ  ワイドローカルエリアネットワーク
【図１】
2021528928.tif 000012
【図２】
2021528928.tif 000013
【図３】
2021528928.tif 000014
【図４】
2021528928.tif 000015
【図５】
2021528928.tif 000016
【図６】
2021528928.tif 000017
【図７】
2021528928.tif 000018
【図８】
2021528928.tif 000019
【図９】
2021528928.tif 000020
【図１０】
2021528928.tif 000021
【図１１】
2021528928.tif 000022
【図１２】
2021528928.tif 000023
【図１３】
2021528928.tif 000024
【図１４】
2021528928.tif 000025
【図１５】
2021528928.tif 000026
【図１６】
2021528928.tif 000027
【国際調査報告】
2021528928.tif 000028
2021528928.tif 000029